(57)【要約】【課題】洗たく物を干す際に、従来のハンガーや物干し竿に干すやり方では、洗たく物が乾きにくい。悪天候の時や冬場などはなおさら乾きにくく、バスタオルやシーツなどの大物は特に乾きにくく、干し場を長時間占領してしまう。【解決手段】そこで、弾性のある連結材で連結した少なくとも２ヶのピンチで、衣服等の洗たく物のすそをはさむことにより、該弾性材によるほどよい弾力が、せんたく物の内側に空間を保つように広げ、内側の空気の流通をよくし、より効率的に洗たく物を乾かせ洗たく物の干し時間を短縮させ洗たく干し場を有効的に使えるよう、しかもとりはずしが楽にできるようにした連結せんたくバサミである。【選択図】  図１
2006158601.tif 000002
【特許請求の範囲】
【請求項１】
弾性のある連結材の両端にピンチをつけた連結せんたくバサミ。
【請求項２】
上記連結材をねじったことを特徴とする請求項１記載の連結せんたくバサミ。
【請求項３】
上記連結材を合成樹脂，ピアノ線等の金属材料，竹材等のいずれかの弾性材で形成したことを特徴とする請求項１〜２記載の連結せんたくバサミ。
【請求項４】
上記連結材の断面が中空，円形，半円形，三角形・四角形等の多角形のいずれかであることを特徴とする請求項１〜３記載の連結せんたくバサミ。
【請求項５】
上記連結材に複数の溝を形成したことを特徴とする請求項１〜４記載の連結せんたくバサミ。
【発明の詳細な説明】
【技術分野】
【０００１】
本発明は、洗たく物をより効率的に乾燥するための連結せんたくバサミに関するものである。
【背景技術】
【０００２】
従来のピンチは、洗たく物をとめる時に２枚の布を重ね合わせてはさむ方法、又は物干し竿と共にはさむ方法故に、洗たく物の内側に空間が非常に少ないため、内側の空気の流
通が悪く、乾きにくい。
【特許文献１】特開２０００−１４９９３号公報
【発明の開示】
【発明が解決しようとする課題】
【０００３】
従来のハンガーや物干し竿を使って洗たく物を干すやり方は、洗たく物がくっつき合って洗たく物の内側に空間が非常に少ないため、内側の空気の流通が悪く、乾きにくい。特に悪天候の時や冬場は、なおさら乾きにくく、またバスタオルやシーツなどの大物は乾きにくく、干し場を長時間占領してしまう。
【課題を解決するための手段】
【０００４】
本発明による連結せんたくバサミは、少なくとも２ヶのピンチを弾性のある連結材で連結し、該弾性材によるほどよい弾力が、衣服等の洗たく物がくっつかないようにピンチではさんで広げ、効率的に乾燥するようにしたものである。また、バスタオルやシーツなどの大物の洗たく物においては重なり合う真ん中、さらに両端を一枚ずつピンチではさんで広げ、洗たく物の内側に空間を保つよう広げることによって、内側の空気の流通をよくし、洗たく物の乾きをより効率よくしたものである。
【発明の効果】
【０００５】
本発明による連結せんたくバサミは、洗たく物の内側に空間を保つように広げ内側の空気の流通をよくするようにしたために、より効率的に洗たく物が乾くようになった。よって、悪天候の時や冬場の洗たく物干しや、バスタオルやシーツなどの大物の干し時間もぐんと短縮され、洗たく干し場が有効的に使えるようになる。
また、引っ張って広げることにより、洗たくシワも大幅になくするという効果も得られる。そのため、洗たく物をとり込んだ後の収納時の折りたたみが楽になる。
また、本発明による連結せんたくバサミがもつほどよい弾力は、洗たく物の大きさにも風による洗たく物の動きにも柔軟に対応でき、しかも、片手の中に連結材の両端を合わせて握りこむことができるので、洗たく物がくっついた状態でもう片方の手で洗たく物にピンチをとりはずしができるため、とりつけとりはずしを非常に楽にしてくれる。
【発明を実施するための最良の形態】
【０００６】
本発明による洗たくバサミの最良の形態を図面により詳細に説明する。
図１は、本発明による連結せんたくバサミの斜視図である。１は連結せんたくバサミで、該連結せんたくバサミ１は、２ヶのピンチ２を弾性のある連結材３で連結したものである。上記ピンチ２と連結材３とは連結具４にて結合されている。上記連結材３は、合成樹脂，ピアノ線等の金属材料，竹材等の弾性材にて生成されている。また、同図では断面円形の棒材のものを示したが、平板状のもの、平板状で断面円弧状のもの、コイル状のものであっても良いことはいうまでもない。
連結材については、その素材のもつ弾力の強さによってねじったり、複数本束ねたりあるいは束ねた複数本をねじることにより、より効果的な弾力を得るようにしたものであってもよい。その長さについては、４５ｃｍ程度が洗たく物の大きさによらず使い勝手が最も良い。
【実施例１】
【０００７】
図２は、本発明による連結せんたくバサミ１の実施例を示す斜視図である。
同図において、図１と同じ符号のものは同一物を示し、詳細な説明を省略する。同図中３１は連結材で、該連結材３１は平板状のものを１８０度ねじったものである。本実施例のように連結材３１をねじることにより、該連結材３１の弾性力を増すことができる。
【実施例２】
【０００８】
図３は、本発明による連結せんたくバサミ１の他の実施例を示す斜視図である。
同図において、図１と同じ符号のものは同一物を示し、詳細な説明を省略する。同図中３２は連結材で、該連結材３２は２本の棒材で形成され、これらをねじったものである。本実施例は、上記実施例１と同様に、連結材３２をねじることにより、その弾性力を増すことができる。
【０００９】
上記連結材３，３１，３２の断面については、前記実施例の他、中空，半円形，三角形・四角形等の多角形等にしても良く、その断面形状については特に限定するものではない。また、連結材３，３１，３２に溝を形成しても良く、この場合その溝の形状は長手方向または、長手方向に直交または、らせん状等、それらの形状については、限定するものではない。そうすることにより、ほどよい弾力を保ちながら曲げやすく、しかも、軽量化できる。
【００１０】
次に図４〜６において本発明による連結洗たくバサミ１の利用について説明する。
図４は、本発明による連結せんたくバサミ１を衣服５に利用した場合を示す説明図で、同図示のとおり、衣服５をハンガー６にかけ、衣服５の真ん中をピンチ２ではさむことにより、連結材３の弾力により衣服５のすそから胸、脇、首の部分に通じる空間が広げられ内部の空気の流通が良くなり、乾燥が効率良く行われることになる。しかも、衣服のすそをほど良い力で引っ張ることにより、洗たくによる衣服の繊維の縮みを伸ばすとともに、衣服の洗たくシワも大幅に伸ばされることになる。
【００１１】
図５は、本発明による連結せんたくバサミ１をバスタオル５１に利用した場合を示す説明図で、同図示のとおり、バスタオル５１を物干し竿７にかけ、バスタオル５１の真ん中をピンチ２ではさむことにより、連結材３の弾力によりバスタオル５１の端部が広げられ内部の空気の流通が良くなり、乾燥が効率良く行われることになる。
【００１２】
図６は、本発明による連結せんたくバサミ１をシーツ５２に利用した場合を示す説明図である。シーツ５２は幅が広いので、シーツ５２を物干し竿７にかけ、シーツ５２の真ん中のみをピンチ２ではさんだ場合は、端部がくっつき、また、シーツ５２の両端のみをピンチ２ではさんだ場合は、中央部がくっついてしまう。そこで、同図示のとおりシーツ５２を物干し竿７にかけ、シーツ５２の真ん中と両端をピンチ２ではさむことで、連結材３の弾力により、シーツ５２の内部が均等に広げられちょうどトンネル状態となるため、内部の空気の流通が良くなり、乾燥が効率よく行われることになる。しかも、３対のピンチ２がそれぞれの方向にほど良い力で引っ張るため、シーツの洗たくシワも大幅に伸ばされることになる。
【図面の簡単な説明】
【００１３】
【図１】本発明による連結せんたくバサミの最良の形態を示す斜視図である。
【図２】本発明による連結せんたくバサミの実施例を示す斜視図である。
【図３】本発明による連結せんたくバサミの他の実施例を示す斜視図である。
【図４】本発明による連結せんたくバサミを衣服に利用した状態を示す説明図である。
【図５】本発明による連結せんたくバサミをバスタオルに利用した状態を示す説明図である。
【図６】本発明による連結せんたくバサミをシーツに利用した状態を示す説明図である。
【符号の説明】
【００１４】
１  せんたくバサミ
２  ピンチ
３，３１，３２  連結材
４  連結具
５，５１，５２  せんたく物
６  ハンガー
７  物干し竿
【図１】
2006158601.tif 000003
【図２】
2006158601.tif 000004
【図３】
2006158601.tif 000005
【図４】
2006158601.tif 000006
【図５】
2006158601.tif 000007
【図６】
2006158601.tif 000008